(57)【要約】【課題】クラッチ機構の切換操作が容易に行える魚釣用リールを提供する。【解決手段】本発明の魚釣用リールは、リール本体１の左右側板２Ａ，２Ｂ間に回転自在に支持したスプール５を動力伝達状態のクラッチＯＮと動力遮断状態のクラッチＯＦＦに切り換え可能なクラッチ機構を備え、クラッチ機構をＯＦＦ操作する切り操作部２３と、クラッチ機構をＯＮ操作する入り操作部２４を一体形成したクラッチ切換部材２２を設けている。クラッチ切換部材２２は、入り操作部２４が左右両側板２Ａ，２Ｂの少なくとも一方の上面を覆う形状を備え、リール本体１に移動可能に支持されていることを特徴とする。【選択図】図１
2009247292.tif 000002
【特許請求の範囲】
【請求項１】
リール本体の左右側板間に回転自在に支持したスプールを動力伝達状態のクラッチＯＮと動力遮断状態のクラッチＯＦＦに切り換え可能なクラッチ機構を備え、
前記クラッチ機構をＯＦＦ操作する切り操作部と、前記クラッチ機構をＯＮ操作する入り操作部を一体形成したクラッチ切換部材を設けた魚釣用リールにおいて、
前記クラッチ切換部材は、前記入り操作部が前記左右両側板の少なくとも一方の上面を覆う形状を備え、前記リール本体に移動可能に支持されていることを特徴とする魚釣用リール。
【請求項２】
前記クラッチ切換部材は、前記リール本体の左右両側板の上面に沿って配置され、前記切り操作部と入り操作部の操作方向が反対となるように、回動可能に支持されていることを特徴とする請求項１に記載の魚釣用リール。
【請求項３】
前記クラッチ切換部材は、前記入り操作部が、前記左右両側板を横架する形状を有することを特徴とする請求項１又は２に記載の魚釣用リール。
【請求項４】
前記左右両側板の上面には、前記クラッチ切換部材の入り操作部が配置されて、両側板の表面と略面一状とするように凹所が形成されていることを特徴とする請求項１から３のいずれか１項に記載の魚釣用リール。
【発明の詳細な説明】
【技術分野】
【０００１】
本発明は、リール本体の側板間に回転自在に支持したスプールを、動力伝達状態のクラッチＯＮと動力遮断状態のクラッチＯＦＦに切り換えるクラッチ機構を備えた魚釣用リールに関する。
【背景技術】
【０００２】
一般的に、上記したタイプの魚釣用リールは、クラッチ切換部材を操作することで、スプールフリー状態（クラッチＯＦＦ）とし、キャスティング操作によって釣糸（仕掛け）を所定のポイントへ放出した後、ハンドルの巻き取り回転操作により、自動的にクラッチＯＮ状態に復帰できるよう構成されている。そして、このようなタイプの魚釣用リールには、例えば、特許文献１に開示されているように、クラッチＯＦＦ操作後のクラッチＯＮの復帰が、ハンドルの巻き取り回転操作以外でも可能となるように、ハンドル側の側板に切り操作部と入り操作部とを一体形成したクラッチ切換部材を設置したものが知られている。
【０００３】
このクラッチ切換部材は、入り操作部と切り操作部のいずれか一方が、ハンドル側の側板の表面から突出するように、側板に対して回動可能に支持されており、切り操作部を押圧操作すると入り操作部が突出し、入り操作部を押圧操作すると切り操作部が突出する構造となっている。すなわち、ハンドル側側板後方に載置した親指を前後方向に移動操作することで、クラッチのＯＦＦ／ＯＮの両操作が行えるようになっており、クラッチ切換機構の簡素化を図っている。
【特許文献１】実開平２−８１１７３号
【発明の開示】
【発明が解決しようとする課題】
【０００４】
上記した特許文献１に開示されている魚釣用リールは、クラッチの切換操作は、ハンドル側の側板の後方に親指を載置しておき、その親指を前後方向に移動操作することでクラッチのＯＦＦ／ＯＮの両切換操作を行うため、親指が無理な動きとなってしまい、切換操作性に劣ると共に、リール本体を握持保持した状態での切換操作を容易に行えないという問題がある。
【０００５】
本発明は、上記した問題に着目してなされたものであり、クラッチ機構の切換操作が容易に行える魚釣用リールを提供することを目的とする。
【課題を解決するための手段】
【０００６】
上記した目的を達成するために、本発明に係る魚釣用リールは、リール本体の左右側板間に回転自在に支持したスプールを動力伝達状態のクラッチＯＮと動力遮断状態のクラッチＯＦＦに切り換え可能なクラッチ機構を備え、前記クラッチ機構をＯＦＦ操作する切り操作部と、前記クラッチ機構をＯＮ操作する入り操作部を一体形成したクラッチ切換部材を設けた構成において、前記クラッチ切換部材は、前記入り操作部が前記左右両側板の少なくとも一方の上面を覆う形状を備え、前記リール本体に移動可能に支持されていることを特徴とする。
【０００７】
上記した構成によれば、クラッチ切換部材の切り操作部によってクラッチ機構を切り操作（ＯＦＦ）した後、リール本体を握持保持した手をその周辺に移動させることで、側板の上面を覆っている入り操作部を操作することが可能となる。すなわち、釣竿と共にリール本体を握持保持している手の指の操作、或いは、反対側の手でリール本体を保持する操作等をすることで、入り操作部を容易にクラッチＯＮに切換操作することができ、キャスティング操作、フッキング、巻き取り操作の一連の動作を無理なく容易に行えるようになる。
【発明の効果】
【０００８】
本発明によれば、クラッチ機構の切換操作が容易に行える魚釣用リールが得られる。
【発明を実施するための最良の形態】
【０００９】
以下、図面を参照して、本発明に係る魚釣用リールの実施形態について具体的に説明する。  
図１から図４は、本発明に係る魚釣用リールの第１の実施形態を示す図であり、図１は、リール本体の平面図、図２は、クラッチ機構の概略構成を示す側面図（クラッチＯＮ状態）、図３は、クラッチ機構の概略構成を示す側面図（クラッチＯＦＦ状態）、そして、図４は、図１のＡ−Ａ線に沿った断面図である。
【００１０】
図１に示すように、魚釣用リールのリール本体１は、釣糸が巻回されるスプール５を回転可能に支持した左右側板２Ａ，２Ｂを備えている。ここで、「側板」とは、スプール５の両端側に位置する構造体が該当し、本実施形態では、各種部材が支持されるフレーム体を構成する左右フレーム２ａ，２ｂと、これら左右フレーム２ａ，２ｂに所定の空間をもって夫々装着される左右外側板（カバー体）３ａ，３ｂによって定義される。このため、左右フレームと左右外側板との間の内部空間には、例えば、駆動力伝達機構、クラッチ機構、バックラッシュ防止機構等が設置されるようになっている。なお、フレームと外側板の形状については、適宜変形することが可能であり、それらを構成する材料については限定されることはない。また、外側板のフレームに対する装着方法や装着位置についても、リール本体の構成等により、様々な方法を用いることが可能である。
【００１１】
前記左右フレーム２ａ，２ｂは、複数の支柱を介して一体化されており、その下方側の支柱には、釣竿のリールシートに装着されるリール脚６が設けられている。また、左右フレーム２ａ，２ｂ間には、軸受を介してスプール軸が回転可能に支持されており、このスプール軸に前記スプール５が装着されている。なお、スプール軸を回転可能に支持する軸受は、フレーム部分に配設されていても良いし、外側板部分に配設されていても良い。
【００１２】
前記スプール５は、リール本体１の右側板２Ｂ側に設置されたハンドル８を回転操作することによって回転される。ハンドル８は、右外側板３ｂから突出したハンドル軸８ａの端部に取り付けられており、右外側板との間に介在された逆転防止機構（転がり式一方向クラッチ）によって、釣糸巻取方向にのみ回転可能となっている。
【００１３】
右フレーム２ｂと右外側板３ｂとの間には、ハンドル８の回転運動をスプール軸（スプール５）に伝達する駆動力伝達機構１０、駆動力の伝達を継脱するクラッチ機構２０、更には、魚釣時にスプール５から釣糸が繰り出された際、スプール５にドラグ力を付与するドラグ機構等が収容されている。
【００１４】
前記駆動力伝達機構１０は、公知のように、ハンドル軸８ａに回転可能に支持された駆動歯車１１と、この駆動歯車１１に噛合するピニオン１２とを備えている。前記ピニオン１２は、スプール軸と同軸上に設置されており、ピニオン軸１２ａに沿って軸方向に移動可能となっている。また、ピニオン１２の外周には、円周溝が形成されており、この円周溝に、後述するクラッチ機構２０のヨーク２７が係合して、ピニオン１２を軸方向に移動させるようになっている。すなわち、ピニオン１２が軸方向に移動することで、スプール軸との間で継脱がなされ、動力伝達状態（クラッチＯＮ）／動力遮断状態（クラッチＯＦＦ）に切り換えられるようになっている。
【００１５】
前記クラッチ機構２０は、右フレーム２ｂに沿って回動可能に支持されたクラッチ駆動部材２１と、このクラッチ駆動部材２１を駆動するクラッチ切換部材（以下、切換部材とする）２２とを備えている。この切換部材２２は、後述するように、クラッチ機構２０をＯＮ状態からＯＦＦ状態に切換操作する切り操作部２３と、クラッチ機構２０をＯＦＦ状態からＯＮ状態に切換操作する入り操作部２４とを備えており、これら切り操作部２３と入り操作部２４は、一体形成されている。
【００１６】
前記クラッチ駆動部材２１は、公知のように、右フレーム２ｂに対して回動可能に支持され、振分けバネ２６によって、図２に示す動力伝達状態（クラッチＯＮ状態）と、図３に示す動力遮断状態（クラッチＯＦＦ状態）に振分け保持されるようになっている。また、クラッチ駆動部材２１の表面には、前記ピニオン１２の円周溝に嵌合したヨーク２７と係合可能な一対のカム面が形成されている。
【００１７】
前記ヨーク２７の先端側は、右フレーム２ｂに突設された支持ピン２９によって保持されており、ヨーク２７は、各支持ピンに配設されたバネ部材（図示せず）によって常時、クラッチ駆動部材２１側に付勢された状態となっている。なお、図２は、ヨーク２７がバネ部材によってクラッチ駆動部材２１側に付勢された状態を示しており、このとき、ピニオン１２はスプール軸の端部に形成されている係合部に嵌合してクラッチＯＮ状態となっている。
【００１８】
前記クラッチ駆動部材２１には、その端部に、前記切換部材２２と係合する係合部（長孔）２１ａが形成されている。この長孔２１ａには、切換部材２２の下面に一体形成された支持部２２Ａに設けられた連結ピン２２Ｂが係合されており、後述するように、切換部材２２が操作（クラッチＯＦＦ／クラッチＯＮ）された際、両者の係合関係によってクラッチ駆動部材２１を回動させる機能を有する。
【００１９】
前記切換部材２２は、本実施形態では、図１に示すように、平面視において略ロの字型で板状に形成されており、その両サイド（覆い部２２ａ，２２ｂ）が左右両側板２Ａ，２Ｂの上面を覆うと共に、前方及び後方が左右両側板を横架（横架部２２ｃ，２２ｄ）している。そして、このように形成された切換部材２２は、リール本体１（左右側板２Ａ，２Ｂ）に回動可能に支持されている。
【００２０】
また、切換部材２２は、側面視した際、左右側板２Ａ，２Ｂの上面形状に沿うように形成されており、後方側が次第に下方に湾曲するように形成されている。すなわち、この湾曲した下端側が、左右両側板を横架するようになっており（横架部２２ｄ）、この横架部２２ｄは、図１に示すように、中央が後方に向けて突出して、クラッチの切り操作が行い易いような形状に構成されている。
【００２１】
前記切換部材２２の左右の覆い部２２ａ，２２ｂの後方側には、下方に向けて垂下する支持部２２Ａが形成されており、この支持部２２Ａに形成された係合孔に、外側板側から支軸（ネジ）２５が嵌入されることで、切換部材２２は、支軸２５を中心として回動可能となっている。すなわち、図３に示すように、支持部２２Ａに貫通孔を形成しておき、ここに、カラー２５ａを介在させて、ネジ２５を右フレーム２ｂに装着し、ワッシャ２５ｂによって抜け止めすることで、切換部材２２は左右フレームに対して支軸２５を中心として回動可能に支持されている（左フレーム２ａ側も同様に回動可能に支持される）。また、上記したように、右側板側の支持部２２Ａには、連結ピン２２Ｂが設けられており、この連結ピン２２Ｂは、クラッチ駆動部材２１の端部に形成された長孔２１ａに係合されている。
【００２２】
このため、上記した形状の切換部材２２では、支軸２５よりも後方側が切り操作部２３を構成し、支軸２５よりも前方側が入り操作部２４を構成している。すなわち、入り操作部２４は、覆い部２２ａ，２２ｂの支軸２５よりも前方側と、横架部２２ｃによって構成され、切り操作部２３は、専ら横架部２２ｄによって構成される（覆い部２２ａ，２２ｂの支軸２５よりも後方側の領域も切り操作できる機能を備える）。
【００２３】
上記のような切換部材２２の入り操作部２４は、前記左右側板２Ａ，２Ｂの上方に位置しており、リール本体１を握持保持した手で操作できるような位置に配置されている。すなわち、入り操作部２４は、ＯＦＦ状態にあるクラッチ機構２０をＯＮ状態に切り換え操作するものであり、釣竿と共にリール本体を握持、保持している側の手の指で簡単に切換操作が行え、或いは、それとは反対側の手をリール本体１に添えるような簡単な動作で切換操作が行えるよう、リール本体の左右側板２Ａ，２Ｂの上面側の広い範囲を覆うように構成されている。
【００２４】
具体的に、入り操作部２４の大きさについては、リール本体１の大きさ（レベルワインド機構の有無、スプールの糸巻容量等）に依存するが、リール本体１を平面視した場合のリール本体の前後方向の最大長さをＬ、左右方向の最大幅をＷとすると、入り操作部２４の前後方向の長さＬ１は、Ｌの５０％以上、左右方向の幅Ｗ１は、Ｗの６０％以上確保されていることが好ましい。また、前記覆い部２４ａ，２４ｂ、及び横架部２４ｃは、略ロの字型で一体形成されているが、その幅については、操作性を考慮して３ｍｍ以上あることが望ましく、５ｍｍ以上あることが、より好ましい。
【００２５】
また、入り操作部２４については、左右両側板２Ａ，２Ｂを広い範囲を覆うように配設されていれば良いが、後述する実施形態（図８参照）のように、いずれか一方の側板の上面を広い範囲で覆うような形状であっても良い。
【００２６】
さらに、上記した構成では、左右両側板２Ａ，２Ｂの上面に凹所２Ｄを形成しておき、この凹所内に、切換部材２２の入り操作部２４が設置されるように構成しておくことが好ましい。すなわち、クラッチＯＮ状態では、入り操作部２４の表面と、左右両側板２Ａ，２Ｂの表面が略面一状となるようにすることで、外観の向上が図れると共に、釣糸の引っ掛かり等を防止することが可能となる。
【００２７】
また、上記のように構成されたクラッチ機構２０には、クラッチＯＦＦ状態において、ハンドル８を巻き取り操作した際、自動的にクラッチ駆動部材２１をクラッチＯＮ状態の位置に復帰させる公知のクラッチ自動復帰機構３０が設けられている。
【００２８】
次に、上述したように構成される魚釣用リールの作用、及び効果について説明する。  
図１及び図２に示すクラッチＯＮ状態において、スプール５の後方側に位置する切換部材２２の切り操作部２３を押圧操作すると、クラッチ駆動部材２１は、切換部材２２の支持部２２Ａに設けられた連結ピン２２Ｂと、クラッチ駆動部材２１の端部に形成された長孔２１ａとの係合関係によって反時計回りに回動され、振分けバネ２６によって、図３に示す状態に保持される。このとき、クラッチ駆動部材２１の表面に形成されたカム面がヨーク２７を軸方向にシフトさせ、ピニオン１２をスプール軸から離脱させる（クラッチＯＦＦ状態）。また、切り操作部２３の押圧操作により、上記した切換部材２２の入り操作部２４は、支軸２５を中心にして、その前方側が左右側板２Ａ，２Ｂから上昇するように回動される。この状態で、スプール５はフリー回転可能状態となっており、キャスティング操作等により、仕掛けの放出が成される。
【００２９】
そして、図１及び図３の点線に示すように、釣竿と共にリール本体を握持、保持している手の指（主にサミング操作している親指）を、多少、前方にずらして、入り操作部を構成する横架部２２ｃを下方に押圧したり、或いは、サイドにずらして覆い部２２ａ、２２ｂを下方に押圧することで、切換部材２２の支持部２２Ａに設けられた連結ピン２２Ｂと、クラッチ駆動部材２１の端部に形成された長孔２１ａとの係合関係によって、クラッチ駆動部材２１は時計回りに回動される。これにより、クラッチ駆動部材２１は、図２に示す状態に回動され、振分けバネ２６によってクラッチＯＮ状態に復帰される。
【００３０】
以上のように、リール本体１の上部の広い範囲内に、クラッチ機構を入り操作する（ＯＮ操作する）入り操作部２４を設置したことで、無理なく、かつ容易にクラッチのＯＦＦからＯＮへの切換操作が可能となる。例えば、キャスティングして仕掛けが着水した直後に魚が掛かっても、スプール５をサミングしている親指を、単に、その周囲の領域である覆い部２２ａ，２２ｂ或いは横架部２２ｃにずらす操作をするだけでクラッチＯＮにすることが可能となり、容易にフッキングすることが可能となる。すなわち、キャスティング操作、フッキング操作、及び釣糸の巻き取り操作の一連の動作を無理なく、容易に行えるようになる。
【００３１】
或いは、釣竿と共にリール本体を握持、保持している側の手と反対側の手を、そのままリール本体１に添えるような簡単な動作をすることでも、クラッチＯＮにすることが可能となり、操作性の向上が図れるようになる。特に、切換部材２２は支軸２５を中心として回動可能に軸支されており、入り操作部２４は、クラッチＯＦＦ時において、前方側が次第に大きく上昇した状態で保持されているため、その前方側を軽く押圧したり、傾斜に沿って押圧することで、容易にクラッチＯＮに切換操作することが可能となる。
【００３２】
また、上記した実施形態では、入り操作部２４は、左右両側板２Ａ，２Ｂを横架する横架部２２ｃを具備しているため、実釣時において、サムレストとしての機能を果たすことが可能となる。もちろん、そのような横架部２２ｃの位置や幅については、適宜変形することが可能である。
【００３３】
図５は、本発明の第２の実施形態を示す平面図である。  
上記した切換部材２２の入り操作部２４については、クラッチのＯＮ操作が容易になるように、左右側板２Ａ，２Ｂ上を覆うように構成されていれば良い。このため、例えば、図４に示すように、覆い部２２ａ，２２ｂは、側板２Ａ，２Ｂを構成する左右フレーム２ａ，２ｂ、及びそれを覆う左右外側板３ａ，３ｂの内、外側板まで延設することなく、左右フレーム２ａ，２ｂのみを覆う構成であっても良い。或いは、図示しないが、外側板３ａ，３ｂのみを覆う構成であっても良い。
【００３４】
このような構成においても、上記した実施形態と同様な作用効果を得ることが可能となる。
【００３５】
図６は、本発明の第３の実施形態を示す図であり、クラッチ機構の概略構成を示す側面図（クラッチＯＮ状態）である。  
上記した実施形態における切換部材２２については、支軸２５を中心として、その後方側が切り操作部、前方側が入り操作部となるように回動可能に軸支されていたが、切換部材２２は、図６に示すように、前後方向にスライド可能となるように、リール本体（左右側板）に支持されていても良い。
【００３６】
具体的には、切換部材２２の左右の覆い部２２ｂ（２２ａ）の前方側には、下方に向けて垂下する支持部２２Ｃが形成されており、この支持部２２Ｃに形成された前後方向に延出する長孔２２Ｄに、左右フレーム２ａ，２ｂに形成された係合突起２ｄを係合させることで、切換部材２２は、矢印で示す方向にスライド駆動されるようになっている。
【００３７】
このような構成では、切換部材２２の表面領域を、全て入り操作部及び切り操作部として機能させることも可能となり、操作領域が広がって、クラッチのＯＮ／ＯＦＦ操作が容易に行えるようになる。なお、このように切換部材２２をスライド駆動する方式では、切換部材の形状（平面視した際の形状）については、上記した図１及び図５に示すような形状としても良いし、或いは、以下に説明する図７から図９に示すような形状にする等、適宜、変形することが可能である。
【００３８】
図７から図９は、それぞれ本発明の第４から第６の実施形態を示す平面図である。  
上述したように、本発明では、切り操作部と入り操作部が一体形成された切換部材に関し、入り操作部が左右両側板の少なくとも一方の上面を覆う形状を備えており、リール本体に移動可能に支持されていれば、その形状については適宜変形することが可能である。
【００３９】
例えば、図７に示す実施形態は、切換部材２２を回動可能に支持する支軸２５よりも前方側に、左右両側板２Ａ，２Ｂを覆う覆い部２２ａ，２２ｂを形成したものである。
【００４０】
このような形状の切換部材２２では、支軸２５よりも前方にある入り操作部２４の位置を容易に把握することが可能となる。
【００４１】
また、例えば、図８に示す実施形態は、入り操作部２４を、左右両側板２Ａ，２Ｂを覆う覆い部２２ａ，２２ｂとし、上述した実施形態の横架部２２ｃを設けない構成としたものである。
【００４２】
このような形状の切換部材では、クラッチＯＦＦ状態において、左右フレーム２ａ，２ｂ間に形成されたサムレスト２Ｔ上に親指を載置しておき、その親指を両サイドにシフトさせることで、クラッチＯＮに切換操作することが可能となる。
【００４３】
また、例えば、図９に示す実施形態は、入り操作部２４を、一方の側板（右側板）２Ｂのみを覆う（覆い部２２ｂ）ようにしたものである。
【００４４】
このように、入り操作部２４が、一方の側板のみを覆うな形状であっても、従来の構成と比較して、クラッチ機構の切換操作性の向上が図れるようになる。
【００４５】
以上、本発明の実施形態について説明したが、本発明は、上記した実施形態に限定されることはなく、種々変形することが可能である。本発明は、リール本体１の左右両側板２Ａ，２Ｂの上方に、切換部材２２の入り操作部２４が位置するような構成であれば良く、その支持方法や形状等については、適宜変形することが可能である。また、切換部材２２は、上下方向にシフトするように支持されていても良い。
【図面の簡単な説明】
【００４６】
【図１】本発明に係る魚釣用リールの第１の実施形態を示す平面図。
【図２】クラッチ機構の概略構成を示す側面図（クラッチＯＮ状態）。
【図３】クラッチ機構の概略構成を示す側面図（クラッチＯＦＦ状態）。
【図４】図１のＡ−Ａ線に沿った断面図。
【図５】本発明の第２の実施形態を示す平面図。
【図６】本発明の第３の実施形態を示す図であり、クラッチ機構の概略構成を示す側面図（クラッチＯＮ状態）。
【図７】本発明の第４の実施形態を示す平面図。
【図８】本発明の第５の実施形態を示す平面図。
【図９】本発明の第６の実施形態を示す平面図。
【符号の説明】
【００４７】
１  リール本体
２Ａ，２Ｂ  左右側板
２ａ，２ｂ  左右フレーム
３ａ，３ｂ  左右外側板
５  スプール
２０  クラッチ機構
２２  クラッチ切換部材
２２ａ，２２ｂ  覆い部
２２ｃ  横架部
２３  切り操作部
２４  入り操作部
【図１】
2009247292.tif 000003
【図２】
2009247292.tif 000004
【図３】
2009247292.tif 000005
【図４】
2009247292.tif 000006
【図５】
2009247292.tif 000007
【図６】
2009247292.tif 000008
【図７】
2009247292.tif 000009
【図８】
2009247292.tif 000010
【図９】
2009247292.tif 000011